(57)【要約】【課題】即時性・同時性に優れ、ＲＣＳを低減可能とする。【解決手段】到来するレーダ波の到来方向および周波数を検知するレーダ検知装置２を備えた航空機１に着脱可能な外装ポッド４に実装されたＲＣＳ低減装置３であって、レーダ波を送受信するアンテナ３１と、アンテナ３１により受信されたレーダ波の振幅および位相を制御し、当該制御したレーダ波を当該アンテナ３１に出力する振幅位相制御器３２と、アンテナ３１の全動作周波数および全動作空間において航空機１のＲＣＳを打消すための振幅および位相を示す情報を記憶するＲＣＳ記憶装置３３と、レーダ検知装置２による検知結果に基づいて該当する振幅および位相を示す情報をＲＣＳ記憶装置３３から読出し、当該読出した情報に基づいて振幅位相制御器３２を制御する制御装置３４とを備えた。【選択図】図１
2015081787.tif 000002
【特許請求の範囲】
【請求項１】
到来する電波の到来方向および周波数を検知する電波検知装置を備えた移動体に着脱可能な着脱可能装備品に実装されたＲＣＳ低減装置であって、
前記電波を送受信するアンテナと、
前記アンテナにより受信された電波の振幅および位相を制御し、当該制御した電波を当該アンテナに出力する振幅位相制御器と、
前記アンテナの全動作周波数および全動作空間において前記移動体のＲＣＳを打消すための振幅および位相を示す情報を記憶するＲＣＳ記憶装置と、
前記電波検知装置による検知結果に基づいて該当する振幅および位相を示す情報を前記ＲＣＳ記憶装置から読出し、当該読出した情報に基づいて前記振幅位相制御器を制御する制御装置とを備えた
ことを特徴とするＲＣＳ低減装置。
【請求項２】
前記着脱可能装備品は外装ポッドである
ことを特徴とする請求項１記載のＲＣＳ低減装置。
【請求項３】
前記着脱可能装備品は外装フレアである
ことを特徴とする請求項１記載のＲＣＳ低減装置。
【請求項４】
前記着脱可能装備品は飛しょう体である
ことを特徴とする請求項１記載のＲＣＳ低減装置。
【請求項５】
前記移動体は航空機である
ことを特徴とする請求項１記載のＲＣＳ低減装置。
【請求項６】
前記移動体は艦船である
ことを特徴とする請求項１記載のＲＣＳ低減装置。
【請求項７】
前記移動体は車両である
ことを特徴とする請求項１記載のＲＣＳ低減装置。
【請求項８】
前記アンテナに到来する電波の到来方向および周波数を検知する電波検知装置を備えた移動体に着脱可能な着脱可能装備品であって、
電波を送受信するアンテナと、前記アンテナにより受信された電波の振幅および位相を制御し、当該制御した電波を当該アンテナに出力する振幅位相制御器と、前記アンテナの全動作周波数および全動作空間において前記移動体のＲＣＳを打消すための振幅および位相を示す情報を記憶するＲＣＳ記憶装置と、前記電波検知装置による検知結果に基づいて該当する振幅および位相を示す情報を前記ＲＣＳ記憶装置から読出し、当該読出した情報に基づいて前記振幅位相制御器を制御する制御装置とを備えたＲＣＳ低減装置を実装した
ことを特徴とする着脱可能装備品。
【発明の詳細な説明】
【技術分野】
【０００１】
この発明は、レーダ波などの電波を使った装置により移動体の位置が検知されることを防ぐため、当該移動体のレーダ断面積（ＲＣＳ：Ｒａｄａｒ  Ｃｒｏｓｓ  Ｓｅｃｔｉｏｎ）を低減するＲＣＳ低減装置、および当該ＲＣＳ低減装置を実装し、当該移動体に着脱可能に構成された着脱可能装備品に関するものである。
【背景技術】
【０００２】
従来から、入射したレーダ波の反射を低減するレーダ波反射低減装置として、自己の反射率を効率よく低減させ且つＲＣＳを低減させることで、被探知確率を大幅に減少させることができるＲＣＳ低減装置が知られている（例えば特許文献１参照）。この特許文献１に開示されたＲＣＳ低減装置の動作では、まず、位相検出回路において、レーダ波を反射する平面上の反射面に設置された受信アンテナにより受信されたレーダ波信号の移相データを検出する。次いで、角度判定回路において、位相検出器回路による２つの位相データの差を測定することで、レーダ波の到来方向を判定する。次いで、キャンセル波生成回路において、角度判定回路での入射角度が垂直付近であるとの判定信号に基づきレーダ波信号と逆相のキャンセル波信号を生成する。そして、送信アンテナにおいて、キャンセル波生成回路からのキャンセル波を放射する。これにより、レーダ波が反射面に垂直に位置する場合にのみ、効率良くＲＣＳを低減させることができる。
【先行技術文献】
【特許文献】
【０００３】
【特許文献１】特開２００３−３３７１６７号公報
【発明の概要】
【発明が解決しようとする課題】
【０００４】
しかしながら、特許文献１に開示された従来のＲＣＳ低減装置では、レーダ波を検波する処理と、キャンセル波を生成する処理が必要である。そのため、即時性・同時性に乏しくなり、実際的にはＲＣＳの低減効果が小さくなるという課題がある。また、従来のＲＣＳ低減装置では、既存機種には適用できないという課題がある。
【０００５】
この発明は、上記のような課題を解決するためになされたもので、即時性・同時性に優れ、且つ既存機種にも適用可能なＲＣＳ低減装置および着脱可能装備品を提供することを目的としている。
【課題を解決するための手段】
【０００６】
この発明に係るＲＣＳ低減装置は、到来する電波の到来方向および周波数を検知する電波検知装置を備えた移動体に着脱可能な着脱可能装備品に実装されたＲＣＳ低減装置であって、電波を送受信するアンテナと、アンテナにより受信された電波の振幅および位相を制御し、当該制御した電波を当該アンテナに出力する振幅位相制御器と、アンテナの全動作周波数および全動作空間において移動体のＲＣＳを打消すための振幅および位相を示す情報を記憶するＲＣＳ記憶装置と、電波検知装置による検知結果に基づいて該当する振幅および位相を示す情報をＲＣＳ記憶装置から読出し、当該読出した情報に基づいて振幅位相制御器を制御する制御装置とを備えたものである。
【発明の効果】
【０００７】
この発明によれば、上記のように構成したので、即時性・同時性に優れ、且つ既存機種にも適用可能となる。
【図面の簡単な説明】
【０００８】
【図１】この発明の実施の形態１に係るＲＣＳ低減装置が搭載された航空機の構成を示す図である。
【図２】この発明の実施の形態２に係るＲＣＳ低減装置が搭載された航空機の構成を示す図である。
【図３】この発明の実施の形態３に係るＲＣＳ低減装置が搭載された航空機の構成を示す図である。
【発明を実施するための形態】
【０００９】
以下、この発明の実施の形態について図面を参照しながら詳細に説明する。
実施の形態１．
図１はこの発明の実施の形態１に係るＲＣＳ低減装置３が搭載された航空機（移動体）１の構成を示す図である。
航空機１には、図１に示すように、レーダ探知装置（電波探知装置）２およびＲＣＳ低減装置３が搭載されている。ＲＣＳ低減装置３は、外装ポッド（着脱可能装備品）４ａの内部に実装されている。この外装ポッド４ａは、主として燃料を格納しておくための装備品であり、航空機１に着脱可能に構成されている。
【００１０】
レーダ探知装置２は、航空機１に到来するレーダ波（電波）の周波数および到来方向を探知するものである。このレーダ探知装置２は、レーダ装置２１、電子支援手段（ＥＳＭ）２２および赤外線捜索追跡システム（ＩＲＳＴ）２３のうち少なくとも１つを含み構成されている。なお図１では、レーダ装置２１、ＥＳＭ２２およびＩＲＳＴ２３を全て備えた場合を示している。
【００１１】
ＲＣＳ低減装置３は、図１に示すように、複数のアンテナ３１、複数の振幅位相制御器３２、ＲＣＳ記憶装置３３および制御装置３４から構成される。
【００１２】
アンテナ３１は、レーダ波の送受信を行うものである。
振幅位相制御器３２は、制御装置３４による制御に従い、アンテナ３１により受信されたレーダ波の振幅および位相を制御するものである。この振幅位相制御器３２により振幅および位相が制御されたレーダ波はアンテナ３１に出力され、このアンテナ３１により再放射される。
【００１３】
ＲＣＳ記憶装置３３は、ＲＣＳ低減装置３が搭載される航空機１のＲＣＳのパターン情報を記憶するものである。また、ＲＣＳ記憶装置３３は、アンテナ３１の全動作周波数および全動作空間において上記航空機１のＲＣＳを打消すために必要なレーダ波の振幅および位相を示す情報もテーブルとして格納している。
【００１４】
制御装置３４は、レーダ探知装置２により検知されたレーダ波の周波数および到来方向に基づいて、当該周波数および到来方向においてＲＣＳを打消すために必要な振幅および位相を示す情報をＲＣＳ記憶装置３３から読出し、当該読出した情報に基づいて振幅位相制御器３２を制御するものである。
【００１５】
次に、上記のようなＲＣＳ低減装置３が搭載された航空機１の動作について説明する。
なお、ＲＣＳ記憶装置３３は、予め、上記航空機１のＲＣＳのパターン情報を記憶し、
また、アンテナ３１の全動作周波数および全動作空間において上記航空機１のＲＣＳを打
消すために必要なレーダ波の振幅および位相を示す情報をテーブルとして格納している。
【００１６】
そして、航空機１に敵機からレーダ波が照射された場合、まず、航空機１の内部にＲＣＳ低減装置３とは別に実装されたレーダ探知装置２は、上記レーダ波の周波数および到来方向を探知する。
【００１７】
次いで、ＲＣＳ低減装置３の制御装置３４は、レーダ探知装置２により検知されたレーダ波の周波数および到来方向に基づき、当該周波数および到来方向においてＲＣＳを打消すために必要な振幅および位相を示す情報をＲＣＳ記憶装置３３から読出す。そして、制御装置３４は、読出した情報に基づいて、振幅位相制御器３２を制御する。
次いで、振幅位相制御器３２は、制御装置３４による制御に従い、アンテナ３１により受信されたレーダ波の振幅および位相を制御する。そして、振幅位相制御器３２により振幅および位相が制御されたレーダ波はアンテナ３１に出力されて再放射される。
【００１８】
このように、レーダ探知装置２およびＲＣＳ記憶装置３３を用いることにより、従来構成におけるレーダ波を検波する処理およびキャンセル波を生成する処理が不要となり、即時性・同時性に優れた装置を得ることができる。また、ＲＣＳ低減装置３を航空機１とは別体に構成することで、既存・新規機種の別を問わず、また実装されるプラットフォームの種類にも依存せずに、適用することが可能となる。
【００１９】
以上のように、この実施の形態１によれば、到来するレーダ波の到来方向および周波数を検知するレーダ検知装置２を備えた航空機１に着脱可能な外装ポッド４ａに実装されたＲＣＳ低減装置３であって、レーダ波を送受信するアンテナ３１と、アンテナ３１により受信されたレーダ波の振幅および位相を制御し、当該制御したレーダ波を当該アンテナ３１に出力する振幅位相制御器３２と、アンテナ３１の全動作周波数および全空間において航空機１のＲＣＳを打消すための振幅および位相を示す情報を記憶するＲＣＳ記憶装置３３と、レーダ検知装置２による検知結果に基づいて該当する振幅および位相を示す情報をＲＣＳ記憶装置３３から読出し、当該読出した情報に基づいて振幅位相制御器３２を制御する制御装置３４とを備えたので、既存・新規機種の別を問わず、また実装されるプラットフォームの種類にも依存せず、新たに即時性・同時性に優れたＲＣＳ低減機能を得ることが可能となる。
【００２０】
なお、外装ポッド４ａが装備される移動体は、航空機１に限定されるものではなく、例えば艦船や装甲車や車など一般の移動車両でもよい。
【００２１】
実施の形態２．
図２はこの発明の実施の形態２に係るＲＣＳ低減装置３が搭載された航空機１の構成を示す図である。図１に示す実施の形態１では、ＲＣＳ低減装置３が外装ポッド４ａの内部に実装される場合について示した。それに対し、図２に示す実施の形態２では、ＲＣＳ低減装置３が外装フレア４ｂの内部に実装されている。この外装フレア４ｂは、主として赤外線カメラを搭載するための装備品であり、航空機１に着脱可能に構成されている。このように、外装フレア４ｂの内部にＲＣＳ低減装置３を実装するようにしても、実施の形態１と同様の効果を得ることができる。
【００２２】
実施の形態３．
図３はこの発明の実施の形態３に係るＲＣＳ低減装置３が搭載された航空機１の構成を示す図である。図１に示す実施の形態１では、ＲＣＳ低減装置３が外装ポッド４ａの内部に実装され、図２に示す実施の形態２では、ＲＣＳ低減装置３が外装フレア４ｂの内部に実装される場合について示した。それに対し、図３に示す実施の形態３では、ＲＣＳ低減装置３が飛しょう体４ｃの内部に実装されている。この飛しょう体４ｃは、通称ミサイルと同義の航空機１に着脱可能な装備品である。このように、飛しょう体４ｃの内部にＲＣＳ低減装置３を実装するようにしても、実施の形態１，２と同様の効果を得ることができる。
【００２３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２４】
１  航空機（移動体）、２  レーダ探知装置（電波探知装置）、３  ＲＣＳ低減装置、４ａ  外装ポッド（着脱可能装備品）、４ｂ  外装フレア（着脱可能装備品）、４ｃ  飛しょう体（着脱可能装備品）、２１  レーダ装置、２２  電子支援手段、２３  赤外線捜索追跡システム、３１  アンテナ、３２  振幅位相制御器、３３  ＲＣＳ記憶装置、３４  制御装置。
【図１】
2015081787.tif 000003
【図２】
2015081787.tif 000004
【図３】
2015081787.tif 000005